(57)【要約】【課題】  撮像装置の把持部において指を休める置き場の面を射出成形にて外装カバーとして一体成形する場合、指置き場が外装の型抜き方向に直交する方向に突出した形状となるために外装カバー内部から肉抜きを設けることが出来ずに成型時に指置き場の外装表面がうねってしまう現象が発生していた。【解決手段】  撮像装置の本体側面把持部から突出させた指を休める置き場の面を射出成形にて成型する際に、その面を外装の肉厚が一定になるように肉抜き用凹部を撮像装置の外装面に設け、その凹部近傍に端子を配設し、端子カバーにて凹部と端子を覆うように構成する。【選択図】  図２
2010124125.tif 000002
【特許請求の範囲】
【請求項１】
本体と、
前記本体に対して開閉可能に接続され、端子を保護する端子カバーとを有する撮像装置であって、
前記本体の表面側であって型抜き用に設けられた凹部と、前記端子カバーの裏面側であって前記本体との位置決め用に設けられた凸部とは勘合可能に接続されることを特徴とする撮像装置。
【請求項２】
前記端子カバーの凸部は、弾性部材にて構成されていることを特徴とする請求項１に記載の撮像装置。
【請求項３】
前記凹部に対して端子カバーの凸部は、大きい形状を有することを特徴とする請求項２に記載の撮像装置。
【発明の詳細な説明】
【技術分野】
【０００１】
本発明は、把持部において指休め用の面形状を設けた撮像装置に関するものである。
【背景技術】
【０００２】
従来例について図５を用いて説明する。図５に示すように、１０１はビデオカメラ本体である。該本体部１０１には、被写体撮影用のレンズ１０２や内蔵マイク１０３等が取着されており、後方を向いた側面には撮影時のスタート／ストップを行うトリガーボタン１０４等が設けられている。そして右側面部（グリップ部）１０５にはビデオカメラを保持するためのグリップベルト１０６が取着されている。ビデオカメラは右手にて外装の右側面部１０５をグリップ部として把持する。ビデオカメラで撮影のスタート／ストップの操作を行うトリガーボタン１０４近傍に親指を置くことができる指休め用の面１０７が配設されている。指休め用の面１０７は、右手の親指と人差し指の間に右側面部１０５から突出するように形成されている。指休め用の面１０７は外装の右側面部１０５から右手の厚さ分突出した形状となっている。こうすることで、右手で把持する行為において、自然と親指の置き場所が手の厚さ部分の範囲に収まるので把持が安定して疲れにくくなる。また、ビデオカメラ本体部１０１の外装は合成樹脂による射出成形によって形成されている。ビデオカメラ本体１０１の外装を射出成形によって所定の外装表面形状をきれいに成形するために、外装の肉厚は均一になるように構成する必要がある。また、指休め用の面１０７にはスリット状の凹部１０８が配設されている。
【０００３】
また、例えば特許文献１にはビデオカメラ本体の背面側にメモリカード挿入口を有し、挿入口の液晶表示パネル側の縁部に凹面部を形成したことで、メモリカードをプッシュ・プッシュ操作するための凹みと、指掛けのための凹みとを兼ねるようにした撮像装置が記載されている。
【特許文献１】特開２００５−７９７６１号公報
【発明の開示】
【発明が解決しようとする課題】
【０００４】
しかしながら、従来の構成では外装面側に肉抜き（型抜き）用のためにスリット状の凹部１０８を設ける必要が発生していた。これは、指休め用の面１０７が型（プラスチック成型用などのいわゆる金型）による射出成形時によって材料の流動性が安定せずに外装表面が波打ってしまう（ヒケ）現象が発生するためである。このヒケ現象は、外装の肉厚が均一でないのことが原因で発生しやすい。指休め用の面１０７は右側面部１０５と一体で型により射出成形するために型の分割方向によっては、外装内部から肉厚を均一にする肉抜きの形状を設けることが出来なかった。
【０００５】
従って、外装面に肉抜き用のスリット状の凹部１０８を配設することとなりデザイン上均一な面で外装を形成することが出来なかった。
【課題を解決するための手段】
【０００６】
そこで、本発明の撮像装置は、本体と、前記本体に対して開閉可能に接続され、端子を保護する端子カバーとを有する撮像装置であって、前記本体の表面側であって型抜き用に設けられた凹部と、前記端子カバーの裏面側であって前記本体との位置決め用に設けられた凸部とは勘合可能に接続されることを特徴としている。
【０００７】
また、本発明の他の特徴とするところは、前記端子カバーの凸部は弾性部材にて構成されていることを特徴としている。
【０００８】
また、本発明の他の特徴とするところは、前記凹部に対して端子カバーの凸部は、大きい形状を有することを特徴としている。
【発明の効果】
【０００９】
以上説明したように、本発明によれば、ヒケ対策の凹部を撮像装置外装表面側に配設することにより撮像装置の外装の肉厚を均一にすることが可能となる。よって、撮像装置の外装部の射出成形においても外装表面が所定の形状にきれいに仕上がる。本発明によれば、ヒケ対策の凹部に対して端子カバーによって覆い隠すことにより撮像装置の外装表面をデザイン上の凸凹なく美しい面として構成することが出来る。これによりデザイン上の自由度が上がる。また、このヒケ対策の凹部を端子カバーの位置決め（固定・保持）用の勘合部として利用することも可能となる。
【００１０】
端子は、外装に対して部品の取付ばらつきで位置がばらついてしまう。上記のように、外装面側に設けられたヒケ対策の凹部を端子カバーの勘合用の位置決め穴として利用する。そうすることで、プラグを出し入れする端子穴を端子カバー勘合用の位置決め穴として利用する場合に比べて、端子カバーの勘合用の凸部と勘合用の凹部（ヒケ対策の凹部）の相対位置ずれのばらつきが少なくすることが出来る。これにより、端子カバーの挿抜時の感触をばらつき無く安定した物とすることが可能となる。
【発明を実施するための最良の形態】
【００１１】
（実施例１）
以下に本発明の撮像装置の詳細を図示した実施例に従って説明する。図１〜図４は本発明の撮像装置の一例を示す図である。
【００１２】
図１に示すように、１はビデオカメラ本体であり、該ビデオカメラ本体１は合成樹脂によって形成され、被写体撮影用のレンズ２や図示しない内蔵マイク等が取着されている。ビデオカメラ本体後方には撮影時のスタート／ストップを行うトリガーボタン３等が設けられ、そして右側面部（グリップ部）４にはビデオカメラを保持するためのグリップベルト５が取着されている。
【００１３】
使用時には、右手にてビデオカメラ本体１の右側面部４を把持し右手の親指を使ってトリガーボタン３の操作を行い撮影のスタート／ストップを行う。そして、トリガーボタン３を押した後では右手の親指は右側面部（グリップ部）４から右手の親指と人差し指の間に突き出た形状で形成されている指休め部６に指を置く。こうすることで、撮影時の把持を安定させると共に指を休める事が可能となる。この指休め部６の右側面の突き出し量は、右手の厚さと同等とする。また、右側面部４にはビデオカメラ本体に対して開閉可能に接続されて、端子を保護するための端子カバー７が配設されている。
【００１４】
図２はトリガーボタン周辺の内部構造を示す図である。また、図３はカバーと端子カバーの外観図である。図２、３に示すように、指休め部６は右側面部４に対して突き出るように形成され面を構成している。指休め部６はビデオカメラ本体１の外装を構成するカバー８と一体成形されている。カバー８は、合成樹脂を材料として型による射出成形で成形される。カバー８を成型するにあたって、カバー８の型は、複数に分割された方向へスライドする。型の分割においてａ方向に抜く型はカバー８の内壁を形成する。他の方向ｂ、ｃ、ｄに抜く型はカバー８の外観を形成する。型の構成としては、カバー８の射出成形時に外装表面がきれいに仕上げるために均一の肉厚であることが望ましい。
【００１５】
指休め部６は、右側面部４から外側に突き出た形状であるために型の抜き方向を考慮するとカバー８内部から肉抜き（型抜き）構造を盛り込む事が出来ない。ａ方向に抜く外装の内側を構成する型に指休め部６の内壁を形成する形状を設けると内壁を成型する型がａ方向に抜けなくなってしまう。つまり、内壁を成型する型のａ方向の抜き方向に対して指休め部６の内壁がａ方向に対して直交した方向（ｃ方向）に突出した構成となるためである。そこで、カバー８において均一の肉厚にするためにカバー８の外装の表面側に凹部９を配設する。つまり、ｃ方向に抜く型に凹部９を成型する形状を盛り込む。
【００１６】
この凹部９の近傍にＤＣジャック端子１０を配設する。ＤＣジャック端子１０をゴミや埃の流入から保護するために端子カバー７が配設されている。この端子カバー７は、ＤＣジャック端子１０を覆うだけでなく凹部９も覆うように形成されている。端子カバー７でＤＣジャック端子１０を覆った状態では、ビデオカメラ本体１の外装面が凸凹なく一様な外装面となる。
【００１７】
端子カバー７は、弾性材料で形成されている。凸部１１が端子カバー７のＤＣジャック端子１０に対向する面（端子カバーの裏面側）に形成されている。また、端子カバー７には円柱状の摺動部１２が形成されている。摺動部１２は、円柱形状をしている。この摺動部１２はカバー８の穴８ａを通ってカバー８を貫通している。端子カバー７がカバー８からの抜け防止としてＥリング１３が摺動部１２の先端に配設されている。従って図４に示すように、端子カバー７はビデオカメラ本体１に対して摺動部１２を回転中心として回動し、接続されることが可能となる。
【００１８】
また、凸部１１には、リブ１４が配設されている。このリブ１４は、凹部９の外形に対して若干大きな形状をしている。凸部１１、リブ１４は端子カバー７と一体に成型されており、弾性部材で構成されている。端子カバー７を、ＤＣジャック端子１０を覆った位置では、端子カバー７をビデオカメラ本体１に押しつけ、リブ１４を凹部９に勘合可能に圧入された状態とする。こうすることで、ビデオカメラ本体１に対して端子カバー７は、位置決め（固定・保持）される。
【００１９】
本実施例では、端子についてＤＣジャックを想定したが、端子はヘッドホンやＨＤＭＩ、ＡＶ端子やメモリーカードスロットなどであっても構わない。また、本発明については、ビデオカメラを用いて説明を行ったがデジタルスチルカメラなど他の撮像装置においても同様の構成を取ることが可能である。
【００２０】
今回の端子カバー７は、凸部１１、リブ１４が全て弾性部材により一体成形されていたが、凸部１１、リブ１４が弾性部材であるならば、端子カバー７の外装面は他の材料による２色成型構成であっても構わない。
【図面の簡単な説明】
【００２１】
【図１】本発明のビデオカメラの外観図
【図２】トリガーボタン周辺の内部構造を示す断面図
【図３】カバーと端子カバーの外観図
【図４】端子カバーが開いている外観図
【図５】従来のビデオカメラの外観図
【符号の説明】
【００２２】
１  ビデオカメラ本体
２  レンズ
３  トリガーボタン
４  右側面部（グリップ部）
５  グリップベルト
６  指休め部
７  端子カバー
８  カバー
９  凹部
１０  ＤＣジャック端子
１１  凸部
１２  摺動部
１３  Ｅリング
１４  リブ
１０１  ビデオカメラ本体
１０２  レンズ
１０３  マイク
１０４  トリガーボタン
１０５  右側面部（グリップ部）
１０６  グリップベルト
１０７  指休め用の面
１０８  凹部
【図１】
2010124125.tif 000003
【図２】
2010124125.tif 000004
【図３】
2010124125.tif 000005
【図４】
2010124125.tif 000006
【図５】
2010124125.tif 000007